(57)【要約】【課題】光拡散用部材の照射光にムラが発生するのを抑制できると共に、設計自由度の低下を抑制できる端末装置の提供を課題とする。【解決手段】固定側ケース１１と、固定側ケース１１にヒンジ１２を介して開閉自在に設けられた可動側ケース１３と、所定の状態であることを発光によって表示する発光手段１４とを備えている。発光手段１４が発光素子であるＬＥＤ２０と、このＬＥＤ２０の発光を拡散して放射する光拡散用パネル２１とを備えている。ＬＥＤ２０の発光における指向特性範囲Ｓの中心線Ｓ１が、光拡散用パネル２１における光入射面２１ｂの中心Ｃを含む所定の範囲Ｈ内を通過する。【選択図】図７
2007151040.tif 000002
【特許請求の範囲】
【請求項１】
固定側ケースと、前記固定側ケースにヒンジを介して開閉自在に設けられた可動側ケースと、所定の状態であることを発光によって表示する発光手段とを備えた端末装置において、
前記発光手段が発光素子と、前記発光素子の発光を拡散する光拡散用パネルとを備え、
前記発光素子の発光における指向特性範囲の中心線が、前記光拡散用パネルの光入射面における中心を含む所定の範囲内を通過することを特徴とする端末装置。
【請求項２】
前記光拡散用パネルの光入射面が、前記発光素子の発光における指向特性範囲の中心線に対して傾斜していることを特徴とする請求項１に記載の端末装置。
【請求項３】
前記発光素子の発光における指向特性範囲内に、光反射部材が配置されていることを特徴とする請求項１または２に記載の端末装置。
【請求項４】
通話手段を備え、前記所定の状態は、前記通話手段における着信状態であることを特徴とする請求項１から３の何れかに記載の端末装置。
【請求項５】
撮像手段を有し、前記所定の状態は、前記撮像手段の起動状態であることを特徴とする請求項１から４の何れかに記載の端末装置。
【発明の詳細な説明】
【技術分野】
【０００１】
本発明は、端末装置に係り、更に詳細には、着信状態などの所定の状態であることを光によって表示する端末装置に関する。なお、端末装置とは、携帯電話機等の携帯端末装置を含む。
【背景技術】
【０００２】
例えば、デジタルカメラ付き携帯電話機では、着信時やデジタルカメラの起動時などに、その状態であることがＬＥＤ(Light Emitting Diode、発光ダイオード)などの発光によって表示されるものがある。
【０００３】
図１１は、従来の携帯電話機５０を示す。この携帯電話機５０は、押しボタン５１などが設けられた固定側ケース５２と、ディスプレイ５３などが設けられた可動側ケース５４とを備えている。固定側ケース５２と可動側ケース５４は、ヒンジ５５を介して開閉自在に連結されている。
【０００４】
可動側ケース５４の外側表面（化粧面）には、図１２に示すように、着信時やデジタルカメラ起動時などに、その状態にあることを発光によって表示する発光部５６が設けられている。この発光部５６は、図１３に示すように、回路基盤５７に設けられたＬＥＤ５８と、このＬＥＤ５８の直上に配置された光拡散用パネル５９とを有している。
【０００５】
光拡散用パネル５９は、可動側ケース５４の化粧面５４ａにおける開口５４ｂ内に設けられている。そして、上記ＬＥＤ５８の中心線５８ａは、光拡散用パネル５９の中心線５９ａ上に略一致させて配置されている。なお、発光部が、固定側ケースに設けられている携帯電話機もある。
【特許文献１】特開２００３−２７３９９４号公報
【特許文献２】特開２００４−１４７０７１号公報
【特許文献３】特開２０００−２５９０８７号公報
【発明の開示】
【発明が解決しようとする課題】
【０００６】
しかしながら、従来の携帯電話機５０は、ＬＥＤ５８の中心線５８ａが光拡散用パネル５９の中心線５９ａから大きくずれていると、ＬＥＤ５８が発光した際に、光拡散用パネル５９の照射光にムラが発生することがあった。
【０００７】
また、ＬＥＤ５８の中心線５８ａを、光拡散用パネル５９の中心線５９ａ上に略一致させて配置する必要があるため、ＬＥＤ５８を配置できる範囲が限定され、設計自由度が低下し装置サイズが大きくなるという問題があった。
【０００８】
このような問題は、携帯電話機に限らず、所定の状態であることを発光によって表示する携帯用の端末装置に同様に発生する問題である。
【０００９】
本発明は、このような問題に鑑みなされたもので、光拡散用パネルの照光にムラが発生するのを抑制できると共に、設計自由度の低下を抑制できる端末装置の提供を課題とする。
【課題を解決するための手段】
【００１０】
０本発明は、前記課題を解決するため、以下の手段を採用した。
（１）本発明は、
固定側ケースと、前記固定側ケースにヒンジを介して開閉自在に設けられた可動側ケースと、所定の状態であることを発光によって表示する発光手段とを備えた端末装置において、
前記発光手段が発光素子と、前記発光素子の発光を拡散して放射する光拡散用パネルとを備え、
前記発光素子の発光における指向特性範囲の中心線が、前記光拡散用パネルの光入射面における中心を含む所定の範囲内を通過することを特徴とする。
【００１１】
本発明では、発光素子の発光における指向特性範囲の中心線が、光拡散用パネルの光入射面囲における中心を含む所定の範囲内を通過するので、光拡散用パネルの照射光にムラが発生するのを抑制できる。
【００１２】
また、発光素子の中心線を光拡散用パネルの光入射面における中心線上に傾けることにより一致させることが可能なため、発光素子の設置位置を比較的広い範囲内で自由に決定できる。従って、設計自由度が低下し装置サイズが大きくなるのを抑制できる。
【００１３】
（２）前記光拡散用パネルの光入射面が、前記発光素子の発光における指向特性範囲の中心線に対して傾斜していることが好ましい。
【００１４】
この場合は、発光素子の発光における指向特性範囲の中心線に対する光拡散用パネルの光入射面の傾斜角を適宜設定することにより、光拡散用パネルの光照射方向を任意に設定できる。
【００１５】
（３）前記発光素子の発光における指向特性範囲内に、光反射部材が配置されていることが好ましい。
【００１６】
この場合は、発光素子の発光が光反射部材によって反射する。この反射光を光拡散用パネルに入射させることにより、発光素子の発光を有効に使用できる。
【００１７】
（４）通話手段を備え、前記所定の状態として、前記通話手段における着信状態を例示できる。
【００１８】
本発明では、端末装置における発光手段の発光にムラが発生するのを抑制できると共に、設計自由度が低下し装置サイズが大きくなるのを抑制できる。
【００１９】
（５）撮像手段を備え、前記所定の状態は、前記撮像手段の起動状態を例示できる。
【発明の効果】
【００２０】
以上説明したように、本発明によれば、所定の状態を表示するための発光にムラが発生するのを抑制できる。また、設計自由度が低下し装置サイズが大きくなるを抑制できる。
【発明を実施するための最良の形態】
【００２１】
図１は、本発明に係る実施形態の端末装置を適用した携帯電話機１の側面図を示す。この携帯電話機１は、固定側ケース１１と、この固定側ケース１１にヒンジ１２を介して開閉自在に連結された可動側ケース１３と、携帯電話機１が所定の状態であることを発光によって表示する発光手段１４とを備えている。なお、図１は上固定側ケース１１，１３を閉じた状態を示す。  上記発光手段１４は、可動側ケース１３におけるヒンジ１２側の端部に設けられている。
【００２２】
図２は、携帯電話機１の可動側ケース１３を開いた状態を示す。固定側ケース１１，１３は、扁平で略長方形状に形成されている。固定側ケース１１の内側面１１ａには、複数の押しボタン１５，１６，１７などが設けられている。また、可動側ケース１３の内側面１３ａには、ディスプレイ１８などが設けられている。
【００２３】
この携帯電話機１には、通話手段（図示せず）など一般的な携帯電話機と同様な機能が備えられている。更に、固定側ケース１１の外側表面１１ｂには、図３に示すように、撮像手段としてのデジタルカメラ１９が備えられている。なお、通話手段及びデジタルカメラ１９については、一般的なものを使用できるので、ここではその詳細な説明を省略する。
【００２４】
可動側ケース１３の外側表面（化粧面）１３ｂは、図４に示すように、押しボタンなどが一切なく、単純化されている。
【００２５】
本実施形態では、通話手段が着信状態であること、又はデジタルカメラ１９が起動状態であることを示すために発光手段１４（図１参照）が発光する。
【００２６】
次に、上記発光手段１４について説明する。この発光手段１４は、携帯電話機１の両側に設けられている。また、発光手段１４は、図５に示すように、発光素子であるＬＥＤ(Light Emitting Diode、発光ダイオード)２０と、このＬＥＤ２０から照射された光を拡散する光拡散用パネル（光拡散用部材）２１とを有している。
【００２７】
上記光拡散用パネル２１としては、透明、乳白色、その他各種の色を有する半透明のアクリル、ＰＣ（ポリカーボネート）樹脂などを例示できる。
【００２８】
図６は、可動側ケース１３の分解斜視図である。なお、図６は、上記ＬＥＤ２０及び上記光拡散用パネル２１の配置を分かりやすく示すため、可動側ケース１３の外側表面１３ｂを下側に向けて、ディスプレイ１８側から見た状態を示す。
【００２９】
図６から分かるように、ＬＥＤ２０及び光拡散用パネル２１は、可動側ケース１３におけるヒンジ１２側の端部の両側にそれぞれ一対ずつ設けられている。ＬＥＤ２０は、回路基板２５の両側に突出した突出部分２５ａ，２５ａに設けられている。
【００３０】
光拡散用パネル２１は、断面が変形五角形（図８参照）で比較的長尺に形成されている。この光拡散用パネル２１は、可動側ケース１３における外側表面１３ｂ側でヒンジ１２側の先端に配置されている。
【００３１】
図７に示すように、上記ＬＥＤ２０の発光における指向特性範囲Ｓの中心線Ｓ１は、光拡散用パネル２１の光入射面２１ａにおける中心Ｃを中心とする所定の範囲Ｈ内を通過する。なお、この所定の範囲Ｈは、光拡散用パネル２０における光入射面２１ｂの有効長さＹの３０％以内、好ましくは１０％以内に設定する。
【００３２】
図８は、可動側ケース１３を閉じた状態を示す断面図である。上記光拡散用パネル２１は、その光照射面（露出面）２１ａが可動側ケース１３におけるヒンジ１２側の先端に露出されて配置されている。
【００３３】
これにより、光拡散用パネル２１の光照射面２１ａが、可動側ケース１３におけるヒンジ１２側の端面を形成している。ＬＥＤ２０は、可動側ケース１３の光拡散用パネル２１より少し内側に配置されている。
【００３４】
図９に示すように、上記光拡散用パネル２１の光入射面２１ｂにおける幅方向Ｙの断面は、ＬＥＤ２０の発光における指向特性範囲Ｓの中心線Ｓ１に対して、所定の角度αで傾斜している。この角度αは、ＬＥＤ２０の発光を照射すべき方向に応じて適宜設定できる。
【００３５】
また、可動側ケース１３の内壁面１３ｃには、ＬＥＤ２０及び光拡散用パネル２１の上側に位置する光反射板２６が設けられている。この光反射板２６の一部分２６ａは、ＬＥＤ２０の発光における指向特性範囲Ｓ内に配置されている。
【００３６】
更に、図８に示すように、固定側ケース１１の内側面１１ａ側におけるヒンジ１２側の端部には、可動側ケース１３が閉じられた状態で、光拡散用パネル２１の露出面２１ａと対向する所定の範囲Ｘに、光反射手段として光反射率の高い例えば光沢塗装部２７が設けられている。
【００３７】
図１０は、可動側ケース１３を開いた状態を示す。この状態で、固定側ケース１１の外側表面１１ｂ側には、光拡散用パネル２１の光光照射面２１ａと対向する所定の範囲Ｙに、上記と同様に光反射率の高い部材、例えば光沢塗装部２８が設けられている。
【００３８】
次に、この携帯電話機１の作用について説明する。この携帯電話機１は、通話手段が着信状態であるとき、又はデジタルカメラ１９が起動状態であるときに、発光手段１４のＬＥＤ２０が発光する。
【００３９】
そして、可動側ケース１３が閉じられた状態のときは、図８に示すように、ＬＥＤ２０の発光が、光拡散用パネル２１で拡散されて固定側ケース１１の内側面１１ａ側におけるヒンジ１２側の端部に設けられた光沢塗装部２７に照射される。光沢塗装部２７に照射された光は、図７中に矢印で示すように、光沢塗装部２７で反射されて携帯電話機１の外側、特に、上固定側ケース１１，１３の長手方向Ｚ１に照射される。
【００４０】
また、ＬＥＤ２０の発光は、可動側ケース１３の内壁面１３ｃに設けられた光反射板２６によって反射され、光拡散用パネル２１及び光沢塗装部２７を介して、上固定側ケース１１，１３の長手方向Ｚ１に照射される。
【００４１】
可動側ケース１３が開かれた状態では、図１０に示すように、ＬＥＤ２０から照射された光が、光拡散用パネル２１、光反射板２６及び固定側ケース１１の外側表面１１ｂ側における光沢塗装部２８を介して、携帯電話機１の外側、特に、可動側ケース１３の長手方向Ｚ２に照射される。
【００４２】
このように、本発明の携帯電話機１は、ＬＥＤ２０の発光における指向特性範囲Ｓの中心線Ｓ１が、光拡散用パネル２１の光入射面２１ｂにおける中心Ｃを含む所定の範囲Ｈ内に納められている。
【００４３】
本実施形態では、ＬＥＤ２０の中心、すなわち、ＬＥＤ２０の発光における指向特性範囲Ｓの中心線Ｓ１が、光拡散用パネル２１の光入射面２１ｂにおける中心線Ｃ１上からずれている。
【００４４】
この場合でも、ＬＥＤ２０の発光が光拡散用パネル２１の光照射面２１ａから照射される際に、その照射光にムラが発生するのを抑制できる。
【００４５】
また、ＬＥＤ２０の中心線である指向特性範囲の中心線Ｓ１を、光拡散用パネル２１の光入射面２１ｂにおける中心線Ｃ１と一致させる必要がないので、ＬＥＤ２０の設置場所
を比較的広い範囲内から自由に選択できる。従って、設計自由度が低下し装置サイズが大きくなるのを抑制できる。
【００４６】
また、光拡散用パネル２１の光入射面２１ａにおける幅Ｙ方向の断面が、ＬＥＤ２０の発光における指向特性範囲Ｓの中心線Ｓ１に対して所定の角度αで傾斜している。この傾斜角度αを適宜設定することにより。光拡散用パネル２１からの照射光を任意の方向に向けることができる。
【００４７】
また、ＬＥＤ２０の発光が光反射部材２６によって反射され、光拡散用パネル２１に入射されるので、ＬＥＤ２０の発光を有効に利用できる。
【００４８】
なお、上記実施形態では、本発明を携帯電話機１に適用した場合について説明したが、本発明は携帯電話機に限らず、各種の状態を発光によって表示する機能を有する各種の端末装置に適用できる。
【図面の簡単な説明】
【００４９】
【図１】本発明に係る携帯電話機の可動側ケースを閉じた状態を示す側面図である。
【図２】本発明に係る携帯電話機の可動側ケースを開いた状態を示す正面図である。
【図３】本発明に係る携帯電話機の固定側ケースを示す図であり、図１のＡ矢視図である。
【図４】本発明に係る携帯電話機の可動側ケースを示す図であり、図１のＢ矢視図である。
【図５】図５（ａ）は本発明に係る携帯電話機の発光手段を示す図であり、図１のＣ−Ｃ断面図、図５（ｂ）は図５（ａ）のＤ矢視図である。
【図６】本発明に係る携帯電話機の可動側ケースを分解した状態を示す斜視図である。
【図７】本発明に係る携帯電話機の発光素子と光拡散用パネルとの位置関係を示す図である。
【図８】本発明に係る携帯電話機の可動側ケースを閉じた場合の発光状態を示す断面図である。
【図９】本発明に係る携帯電話機の光拡散用パネルの光入射面が傾斜していることを示す断面図である。
【図１０】本発明に係る携帯電話機の可動側ケースを開いた場合の発光状態を示す断面図である。
【図１１】従来例に係る携帯電話機の可動側ケースを開いた状態を示す斜視図である。
【図１２】従来例に係る携帯電話機の可動側ケースを閉じた状態を示す斜視図である。
【図１３】従来例に係る携帯電話機の発光部を示す図であり、図１２のＥ−Ｅ断面図である。
【符号の説明】
【００５０】
１  携帯電話機
１１  固定側ケース
１１ａ  固定側ケースの内側面
１１ｂ  固定側ケースの外側表面
１２  ヒンジ
１３  可動側ケース
１３ａ  可動側ケースの内側面
１３ｂ  可動側ケースの外側表面（化粧面）
１３ｃ  可動側ケースの内壁面
１４  発光手段
１５，１６，１７  押しボタン
１８  ディスプレイ
１９  デジタルカメラ（撮像手段）
２１  光拡散用パネル（光拡散用部材）
２１ａ  光拡散用パネルの露出面（光照射面）
２１ｂ  光拡散用パネルの光入射面
２５  回路基板
２５ａ  突出部分
２６  光反射板
２７  光沢塗装部
２８  光沢塗装部
５０  携帯電話機
５１  ボタン
５２  固定側ケース
５３  ディスプレイ
５４  可動側ケース
５４ｂ  開口
５５  ヒンジ
５６  発光部
５８  光拡散用パネル
Ｃ  光拡散用パネルの光入射面の中心
Ｃ１  光拡散用パネルの光入射面の中心
Ｃ１  ＬＥＤの中心線
Ｌ  光拡散用パネルの長さ
Ｓ  発光における指向特性範囲
Ｓ１  指向特性範囲の中心線
【図１】
2007151040.tif 000003
【図２】
2007151040.tif 000004
【図３】
2007151040.tif 000005
【図４】
2007151040.tif 000006
【図５】
2007151040.tif 000007
【図６】
2007151040.tif 000008
【図７】
2007151040.tif 000009
【図８】
2007151040.tif 000010
【図９】
2007151040.tif 000011
【図１０】
2007151040.tif 000012
【図１１】
2007151040.tif 000013
【図１２】
2007151040.tif 000014
【図１３】
2007151040.tif 000015